(57)【特許請求の範囲】
【請求項１】
上ローラ及び下ローラを軸支する揚送機本体と、前記上ローラと前記下ローラの間に巻き掛けられた揚送ベルトと、前記下ローラと対向して配置されパチンコ玉が搬送されるアール路を形成し柔軟弾性体を備えたアール路カバーと、を有するパチンコ玉揚送機において、
前記アール路カバーの玉受入部側と反対側となる一端を前記揚送機本体に回動可能に取り付け、
前記アール路カバーを前記下ローラ側に付勢するために前記アール路カバーの玉受入部側底部に自由端が当るように板状ばねを基板に固定し、
前記アール路カバーには、前記下ローラの外周に沿って湾曲された側板の玉受入部側にガイド部を設け、
前記ガイド部にパチンコ玉の流下側に向かって前記柔軟弾性体との隙間が縮小するように傾斜してガイド板を掛け渡して前記柔軟弾性体と前記ガイド板との間に上下に重なった玉を均し整列させて前記揚送ベルトと前記柔軟弾性体との間に流入させる整列路を形成し、
前記板状ばねの付勢力によって前記柔軟弾性体と前記揚送ベルトが擦れ合わないように前記アール路カバーの回動を規制するストッパを前記揚送機本体に配設し、た
ことを特徴とするパチンコ玉揚送機。
【発明の詳細な説明】
【０００１】
【産業上の利用分野】
本発明は、パチンコ玉の玉循環機構においてパチンコ玉を揚送し研磨するパチンコ玉揚送機に関する。
【０００２】
【従来の技術】
近年のパチンコホールには、パチンコ機が複数設置された島が並列に配置され、この島内で、玉計数機に投入されたパチンコ玉や各パチンコ機のアウト玉が循環されるようになっている。
【０００３】
島の中央部にはパチンコ玉揚送機が設けられており、パチンコ玉に付着した埃、油等を研磨し、島の上部へ揚送するようになっている。
【０００４】
図４に示すように、このパチンコ玉揚送機は、揚送機本体の上部に軸支された図示しない上ローラと、下部に軸支された下ローラ１２とを備えており、この上ローラと下ローラ１２との間には、揚送ベルト３４が巻き掛けられている。
【０００５】
下ローラ１２の外周にはアール路カバー１１４が沿設され、このアール路カバー１１４の揚送ベルト３４との対向面には、柔軟弾性体１１６が貼設されている。アール路カバー１１４は、パチンコ玉が流入する略直線部分と、それに続く円弧状の曲線部分とから成り、揚送ベルト３４と柔軟弾性体１１６との間に所定の隙間をもったアール路１３０が形成され、アール路１３０内をパチンコ玉が通過する。すなわち、パチンコ玉はアール路カバー１１４の略直線部分を自然流下し、曲線部分に達したところで揚送ベルト３４と柔軟弾性体１１６に挟まれ揚送されながら研磨される。
【０００６】
ところが、アール路１３０には、パチンコ玉が上下に重なって挟み込まれたり、はじかれることがある。このとき、挟み込まれたパチンコ玉と柔軟弾性体１１６及び揚送ベルト３４との接触部に圧力が集中し、柔軟弾性体１１６及び揚送ベルト３４が局所的に摩耗したり、はじかれたパチンコ玉の衝突部が局部的に摩耗する。このため、柔軟弾性体１１６及び揚送ベルト３４の寿命が短くなり、交換の時期を早める原因になっていた。
【０００７】
【発明が解決しようとする課題】
本発明は上記事実を考慮し、柔軟弾性体と揚送ベルトによって形成されるアール路にパチンコ玉が重なって挟み込まれたり、パチンコ玉がはじかれることがないパチンコ玉揚送機を提供することを目的とする。
【０００８】
【課題を解決するための手段】
請求項１に記載のパチンコ玉揚送機は、上ローラ及び下ローラを軸支する揚送機本体と、前記上ローラと前記下ローラの間に巻き掛けられた揚送ベルトと、前記下ローラと対向して配置されパチンコ玉が搬送されるアール路を形成し柔軟弾性体を備えたアール路カバーと、を有するパチンコ玉揚送機において、前記アール路カバーの玉受入部側と反対側となる一端を前記揚送機本体に回動可能に取り付け、前記アール路カバーを前記下ローラ側に付勢するために前記アール路カバーの玉受入部側底部に自由端が当るように板状ばねを基板に固定し、前記アール路カバーには、前記下ローラの外周に沿って湾曲された側板の玉受入部側にガイド部を設け、前記ガイド部にパチンコ玉の流下側に向かって前記柔軟弾性体との隙間が縮小するように傾斜してガイド板を掛け渡して前記柔軟弾性体と前記ガイド板との間に上下に重なった玉を均し整列させて前記揚送ベルトと前記柔軟弾性体との間に流入させる整列路を形成し、前記板状ばねの付勢力によって前記柔軟弾性体と前記揚送ベルトが擦れ合わないように前記アール路カバーの回動を規制するストッパを前記揚送機本体に配設し、たことを特徴としている。
【０００９】
【作用】
請求項１に記載のパチンコ玉揚送機では、アール路カバーの側板の玉受入部側に設けられたガイド部に、ガイド板がパチンコ玉の流下側に向かって傾斜して掛け渡されており、ガイド板と柔軟弾性体によって形成される隙間が、パチンコ玉の受入部側では上下方向には広く、流下側に向かって少しずつ狭くなっている。これによって、この隙間の受入部側でパチンコ玉が上下に重なっていても、パチンコ玉は隙間を流下することにより次第に均され整列される。このため、柔軟弾性体と揚送ベルトとの間にパチンコ玉が上下に重なって挟まれたり、はじかれることがない。これにより、柔軟弾性体及び揚送ベルトが局所的に摩耗して、寿命が短くなってしまうことがない。ストッパは、板状ばねの付勢力によってアール路カバーが下ローラに近づいたときに、アール路カバーの回動を規制して柔軟弾性体と揚送ベルトが擦れ合わないようにする。
【００１０】
【実施例】
図１及び図２に示すように、本実施例に係るパチンコ玉揚送機１０は、揚送機本体２６に、図示しない上ローラと下ローラ１２が軸支されている。下ローラ１２は、電動モータ２８によって回転するようになっている。
【００１１】
上ローラと下ローラ１２との間には、揚送ベルト３４が巻き掛けられている。揚送ベルト３４の、下ローラ１２から上ローラに向かう部分は直線になっており、この直線部分に対面して直送路カバー１８が設けられている。また、直送路カバー１８の揚送ベルト３４と対向する面には、パチンコ玉を研磨する研磨マット１７が貼設されている。揚送ベルト３４の直線部分と研磨マット１７との間には、パチンコ玉が挟持されて揚送される直送路３２が形成されている。
【００１２】
下ローラ１２の下側には、アール路カバー１４が設けられている。アール路カバー１４の、下ローラ１２と対向する面には柔軟弾性体１６が設けられており、この柔軟弾性体１６と揚送ベルト３４との間に、パチンコ玉が挟持されて揚送されるアール路３０が形成されている。
【００１３】
アール路カバー１４の直送路カバー１８側（玉受入部側と反対側）の一端からは軸板４６が突設され、この軸板４６には挿通孔４８が穿設されている。
【００１４】
一方、揚送機本体２６の、直走路カバー１８の下方には、軸板７８が突設され、この軸板７８には軸支孔６６が穿設されている。
【００１５】
ここで、アール路カバー１４は、ピン６２を挿通孔４８及び軸支孔６６に挿通して揚送機本体２６に取り付けられる。これにより、アール路カバー１４はピン６２を中心に回動可能となっている。
【００１６】
また、基板２０には板状ばね８０が固定されており、アール路カバー１４を揚送機本体２６に取り付けた状態で、この板状ばね８０の自由端がアール路カバー１４の他端（玉受入部側）の底部に当り、アール路カバー１４を下ローラ１２側に付勢する。
【００１７】
アール路カバー１４は、下ローラ１２の外周に沿って湾曲された側板３８を備えている。この側板３８の他端側には、幅厚のガイド部３８Ａが形成されている。
【００１８】
揚送機本体２６にはストッパ８２が配設されている。このストッパ８２は、板状ばね８０の弾性力（付勢力）によってアール路カバー１４が下ローラ１２に近づいたとき、ガイド部３８Ａに当接してアール路カバー１４の回動を規制し、柔軟弾性体１６と揚送ベルト３４が擦れ合わないようにしている。
【００１９】
ガイド部３８Ａには、ガイド板９０が掛け渡されている。このガイド板９０は、アール路カバー１４がセットされた状態で、パチンコ玉の流下側に向かって傾斜して、柔軟弾性体１６との間に、上下に重なったパチンコ玉を均して整列させる整列路９２を構成している。
【００２０】
この整列路９２の間隔は、パチンコ玉の受入部側では広くなっており、パチンコ玉が流下する方向に沿って、少しずつ狭くなっている。
【００２１】
次に、本実施例に係るパチンコ玉揚送機１０のガイド板９０の作用を説明する。パチンコ玉揚送機１０に送られたパチンコ玉は、アール路カバー１４の直線部分の柔軟弾性体１６とガイド板９０との間に形成された整列路９２を自然流下し、曲線部分に達する。ここで、パチンコ玉は柔軟弾性体１６と揚送ベルト３４との間に挟まれて、アール路３０を移動する。
【００２２】
整列路９２の間隔は、受入部側では上下方向に広く、パチンコ玉の流下方向に向かって少しずつ狭くなっている。これによって、この整列路９２の受入部側でパチンコ玉が重なっていても、整列路９２を流下することにより次第に均され、整列される。この整列されたパチンコ玉が整列路９２を通過し、柔軟弾性体１６と揚送ベルト３４との間のアール路３０に流下するため、柔軟弾性体１６と揚送ベルト３４との間にパチンコ玉が上下に重なって挟まれることがない。このため、柔軟弾性体１６及び揚送ベルト３４が局所的に摩耗して、寿命が短くなってしまうことがない。
【００２３】
図３には、本発明の第２実施例に係る重なり防止手段であるガイドローラー９４が示されている。
【００２４】
ガイドローラー９４の両端には、軸９６が突設されている。この軸９６は、ガイド部３８Ａに穿設された長円状の長穴９４Ａに軸支されている。
【００２５】
これによって、ガイドローラー９４は回転しながら上下に移動可能となっている。アール路カバー１４の玉受入部側にパチンコ玉が上下に重なって流入した場合でも、ガイドローラー９４が上方向に移動しながら回転してパチンコ玉を整列する。これにより、柔軟弾性体１６及び揚送ベルト３４が局所的に摩耗することがない。
【００２６】
なお、本実施例では、重なり防止手段としてのガイド板９０及びガイドローラー９４を、アール路カバー１４のガイド部３８Ａに組み付けたが、揚送機本体２６の玉受入部側に取り付けてもよい。また、種々のタイプのアール路カバーに適用することができることは無論である。
【００２７】
【発明の効果】
本発明は上記構成としたので、柔軟弾性体と揚送ベルトによって形成されるアール路にパチンコ玉が重なって挟み込まれることがなく、柔軟弾性体及び揚送ベルトが局所的に摩耗して、寿命が短くなってしまうことがない。
【図面の簡単な説明】
【図１】本発明に係るパチンコ玉揚送機の全体斜視図である。
【図２】本発明の第１実施例に係るパチンコ玉揚送機の下部断面図である。
【図３】本発明の第２実施例に係るパチンコ玉揚送機の下部断面図である。
【図４】従来のパチンコ玉揚送機の下部断面図である。
【符号の説明】
１０    パチンコ玉揚送機
１２    下ローラ
１４    アール路カバー
２６ 揚送機本体
３０    アール路
３４    揚送ベルト
９０    ガイド板（重なり防止手段）
９２    整列路
９４    ガイドローラー（重なり防止手段）
【図１】
0003578363.tif 000002
【図２】
0003578363.tif 000003
【図３】
0003578363.tif 000004
【図４】
0003578363.tif 000005